(57)【要約】【課題】構成が簡素化され、しかも施工が容易になし得る防音間仕切り構造およびその施工方法を提供する。【解決手段】第１間柱１と第２間柱２との一組の間柱を千鳥配置としてなる防音間仕切り構造で、第１間柱１と第２間柱２とはそれぞれ断面が長方形状とされ、第１間柱１は短辺を上側および下側間仕切り台輪４，５のそれぞれの一方の溝４ａ，５ａ側壁内面に固定され、第２間柱２は短辺を上側および下側間仕切り台輪４，５のそれぞれの他方の溝４ａ，５ａ側壁内面に固定され、第１間柱１および第２間柱２は、接合部材３により接合されてなるものである。【選択図】図１
2008127770.tif 000002
【特許請求の範囲】
【請求項１】
第１間柱と第２間柱とからなる一組の間柱を千鳥配置としてなる防音間仕切り構造であって、
前記第１間柱および第２間柱は、断面が長方形状とされ、
前記第１間柱は、一方の短辺が上側および下側間仕切り台輪のそれぞれの一方の溝側壁内面に固定され、
前記第２間柱は、他方の短辺が上側および下側間仕切り台輪のそれぞれの他方の溝側壁内面に固定され、
前記第１間柱および第２間柱は、接合部材により接合されてなる
ことを特徴とする防音間仕切り構造。
【請求項２】
接合部材は、端部に位置決め部を有する階段状に構成されてなることを特徴とする請求項１記載の防音間仕切り構造。
【請求項３】
第２間柱の位置決めをなす位置決め部の起立量が、第１間柱の位置決めをなす位置決め部の起立量より少なくされてなることを特徴とする請求項２記載の防音間仕切り構造。
【請求項４】
断面が長方形状とされた第１間柱と、断面が長方形状とされた第２間柱とからなる一組の間柱とを千鳥配置としてなる防音間仕切り構造の施工方法であって、
前記第１間柱の一方の短辺を上側および下側間仕切り台輪のそれぞれの一方の溝壁面内面に固定する手順と、
前記第１間柱の他方の短辺に接合部材の第１接合部を固定する手順と、
前記接合部材の第２接合部と、上側および下側間仕切り台輪のそれぞれの他方の溝壁面内面との間に、前記第２間柱を横にして配設する手順と、
前記第２間柱を９０度回転させて縦にする手順と、
前記第２間柱の一方の短辺を前記接合部材の第２接合部に固定する手順と、
前記第２間柱の他方の短辺を上側および下側間仕切り台輪のそれぞれの他方の溝壁面内面に固定する手順
とを含んでいることを特徴とする防音間仕切り構造。
【請求項５】
接合部材が、端部に位置決め部を有し、
前記位置決め部により位置決めしながら、第１間柱および第２間柱の接合をなすことを特徴とする請求項４記載の防音間仕切り構造の施工方法。
【発明の詳細な説明】
【技術分野】
【０００１】
本発明は、防音間仕切り構造およびその施工方法に関する。さらに詳しくは、施工が簡素化される防音間仕切り構造およびその施工方法に関する。
【背景技術】
【０００２】
従来より、住宅においては各部屋間の防音性を高める観点から、間仕切りはいわゆる防音間仕切りとされている。この防音間仕切りにおいては、防音性能を確保するため、一般的に、間柱（スタッド）は一組の間柱を千鳥配列とした構成とされている。
【０００３】
図９〜図１４に、間柱が千鳥配列とされた従来の防音間仕切り構造の一例を示す。
【０００４】
従来の防音間仕切り構造１００においては、図９〜図１４に示すように、上側間仕切り台輪（ランナー）１０１に上側間柱取付金具１０２をビス留めし、下側間仕切り台輪１０３に下側間柱取付金具１０４をビス留めし、上側間柱取付金具１０２および下側間柱取付金具１０４を利用して一組の間柱１０５，１０６を建て込み、ついで一組の間柱１０５，１０６のそれぞれに接合金具１０７をビス留めして、一組の間柱１０５，１０６を接合するようにされている。
【０００５】
しかしながら、従来の防音間仕切り構造１００には、次のような問題が生じている。
【０００６】
１）間柱取付金具１０２，１０４を用いているため、コスト高を招来している。
【０００７】
２）間柱取付金具１０２，１０４を用いているため、施工が煩雑であるとともに工期の長期化を招来している。
【０００８】
３）間柱１０５，１０６の上端および下端が固定されておらず、また接合金具１０７も単なる階段状とされているので、間柱１０５，１０６間の寸法を規定寸法とするのが容易でない。
【０００９】
４）間柱１０５，１０６の上端および下端が固定されていないため、その後における石膏ボードの取付の際に間柱が動きやすく施工がしにくい。
【発明の開示】
【発明が解決しようとする課題】
【００１０】
本発明はかかる従来技術の課題に鑑みなされたものであって、構成が簡素化され、しかも施工が容易になし得る防音間仕切り構造およびその施工方法を提供することを目的としている。
【課題を解決するための手段】
【００１１】
本発明の防音間仕切り構造は、第１間柱と第２間柱とからなる一組の間柱を千鳥配置としてなる防音間仕切り構造であって、前記第１間柱および第２間柱は、断面が長方形状とされ、前記第１間柱は、一方の短辺を上側および下側間仕切り台輪のそれぞれの一方の溝側壁内面に固定され、前記第２間柱は、他方の短辺を上側および下側間仕切り台輪のそれぞれの他方の溝側壁内面に固定され、前記第１間柱および第２間柱は、接合部材により接合されてなることを特徴とする。
【００１２】
本発明の防音間仕切り構造においては、接合部材は、端部に位置決め部を有する階段状に構成されてなるのが好ましい。その場合、第２間柱の位置決めをなす位置決め部の起立量が、第１間柱の位置決めをなす位置決め部の起立量より少なくされてなるのがさらに好ましい。
【００１３】
一方、本発明の防音間仕切り構造の施工方法は、断面が長方形状とされた第１間柱と、断面が長方形状とされた第２間柱とからなる一組の間柱を千鳥配置としてなる防音間仕切り構造の施工方法であって、前記第１間柱の一方の短辺を上側および下側間仕切り台輪のそれぞれの一方の溝側壁内面に固定する手順と、前記第１間柱の他方の短辺に接合部材の第１接合部を接合する手順と、前記接合部材の第２接合部と、上側および下側間仕切り台輪のそれぞれの他方の溝側壁内面との間に、前記第２間柱を横にして配設する手順と、前記第２間柱を９０度回転させて縦にする手順と、前記第２間柱の一方の短辺を前記接合部材の第２接合部に接合する手順と、前記第２間柱の他方の短辺を上側および下側間仕切り台輪のそれぞれの他方の溝側壁内面に固定する手順とを含んでいることを特徴とする。
【００１４】
本発明の防音間仕切り構造の施工方法においては、接合部材が、端部に位置決め部を有し、前記位置決め部により位置決めしながら、第１間柱および第２間柱の接合をなすのが好ましい。
【発明の効果】
【００１５】
本発明は、前記の如く構成されているので、防音間仕切りの構成の簡素化が図られ、コストの低減および工期の短縮ができるという優れた効果が得られる。また、各間柱の上下端部が上側および下側間仕切り台輪の溝側壁内面に固定されているので、その後の施工が容易となるという優れた効果も得られる。
【００１６】
本発明の好ましい形態によれば、接合部材が位置決め部を有しているので、間柱間の間隔を容易に規定寸法とすることができるという優れた効果も得られる。
【発明を実施するための最良の形態】
【００１７】
以下、添付図面を参照しながら本発明を実施形態に基づいて説明するが、本発明はかかる実施形態のみに限定されるものではない。
【００１８】
本発明の一実施形態に係る防音間仕切り構造を図１および図２に示す。
【００１９】
防音間仕切り構造Ｋは、図１および図２に示すように、千鳥配置とされた一組の間柱１，２と、間柱１，２を接合する接合部材３と、下方に向けた溝４ａが形成された上側間仕切り台輪４と、上方に向けた溝５ａが形成された下側間仕切り台輪５とを主要構成要素として備えてなるものとされる。
【００２０】
間柱１，２は、例えば断面が長方形状とされた鋼製角パイプとされ、その長手方向（長辺）を上側間仕切り台輪４の溝４ａおよび下側間仕切り台輪５の溝５ａに直交させてつまり縦にして配設される。
【００２１】
接合部材３は、図３に示すように、板材を階段状に折り曲げて第１接合部３ａと第２接合部３ｂとを千鳥配置にて形成するとともに、端部を起立状に折り曲げて位置決め部３ｃに形成してなるものとされる。ここで、位置決め部３ｃ，３ｃ間の寸法は、間柱１，２間の寸法が規定寸法となるように調整されるとともに、間柱２の位置決めをなす位置決め部３ｃの起立量は、溝４ａ，５ａ側壁内面と第２接合部３ｂ内面との間に間柱２の建て込みがなし得るよう間柱１の位置決め部３ｃの起立量より少なくされている。
【００２２】
また、第１接合部３ａと第２接合部３ｂとを連結している連結部３ｄの寸法は、溝４ａ，５ａ側壁内面と第２接合部３ｂ内面との間に間柱２が配設できるように調整されている。
【００２３】
上側間仕切り台輪４および下側間仕切り台輪５は、例えば鋼製溝型鋼とされ、その溝幅は、間柱１，２の縦寸法より所定量広くされ、間柱１，２の短辺の片方が間仕切り壁に接触しないようにされて防音性能の確保が図られている。
【００２４】
次に、図４〜図７も参照しながら、かかる構成とされた防音間仕切り構造Ｋの施工について説明する。
【００２５】
手順１：一方の間柱１を上側間仕切り台輪４および下側間仕切り台輪５間に建て込む。
【００２６】
手順２：建て込んだ間柱１の短辺の一方の両端部を上側間仕切り台輪４および下側間仕切り台輪５のそれぞれの溝４ａ，５ａ側壁内面に当接させてビス留め固定する。
【００２７】
手順３：接合部材３の第１接合部３ａの位置決め部３ｃを、間柱１の溝４ａ，５ａ側壁内面と当接していない短辺側の角に位置合わせしながら、第１接合部３ａを間柱１の中間部にビス留め固定する。
【００２８】
手順４：他方の間柱２をその長辺を上側間仕切り台輪４および下側間仕切り台輪５のそれぞれの溝４ａ，５ａ方向に一致させながら第２接合部３ｂ内面と溝４ａ，５ａ側壁内面との間に建て込む。
【００２９】
手順５：建て込んだ間柱を９０度回転させ、つまり間柱２を縦にして一方の短辺を第２接合部３ｂ内面に当接させるとともに、他方の短辺を溝４ａ，５ａ側壁内面に当接させる。
【００３０】
手順６：間柱２の角を第２接合部３ｂの位置決め部３ｃに当接させて間柱２の位置決めをしながら、第２接合部３ｂを間柱２にビス留め固定して両間柱１，２を接合する。
【００３１】
手順７：間柱２の上端部を上側間仕切り台輪４および下側間仕切り台輪５のそれぞれの溝４ａ，５ａ側壁にビス留め固定する。
【００３２】
以上の手順により、間柱１，２の千鳥配置とされた組み付けが完了する。
【００３３】
このように、本実施形態によれば、間柱１，２以外の必要部品は接合部材３のみとなるので、構成および施工が簡素化されてコスト低減および工期の短縮が図られる。
【００３４】
また、間柱１，２の上下端部を、上側間仕切り台輪４および下側間仕切り台輪５のそれぞれの溝４ａ，５ａ側壁にビス留め固定しているので、その後における施工、例えば石膏ボードの取付の際に間柱１，２が動くことがなくその後の施工が容易となる。
【００３５】
さらに、接合部材３に位置決め部３ｃを形成し、それにより位置決めしているので、一組の間柱１，２間の寸法を規定寸法とすることが容易になし得る。
【００３６】
その上、間柱１，２の上下両端部が、上側間仕切り台輪４および下側間仕切り台輪５のそれぞれの溝４ａ，５ａ側壁にビス留め固定されるとともに、間柱１，２の角が接合部材３の位置決め部３ｃに結果的に補強されるので、捩り剛性が向上する。
【００３７】
以上、本発明を実施形態に基づいて説明してきたが、本発明はかかる実施形態のみに限定されるものではなく、種々改変が可能である。例えば、幅広の間仕切りに適用する場合には、図８に示すように、間柱の組を複数とすることもできる。
【００３８】
また、実施形態では鋼製の間柱について説明されているが、木製の間柱についても適用できる。
【産業上の利用可能性】
【００３９】
本発明は、防音性能が要求される間仕切りに適用できる。
【図面の簡単な説明】
【００４０】
【図１】本発明の一実施形態に係る防音間仕切り構造の分解斜視図である。
【図２】同防音間仕切り構造の二面図であって、同（ａ）は平面図を示し、同（ｂ）は正面図を示す。
【図３】接合部材の三面図であって、同（ａ）は平面図を示し、同（ｂ）は正面図を示し、同（ｃ）は側面図を示す。
【図４】本発明の一実施形態に係る防音間仕切り構造の施工手順を説明する斜視図であって、一方の間柱両端部を、上側間仕切り台輪および下側間仕切り台輪のそれぞれの溝側壁にビス留め固定している状態を示す。
【図５】同二面図である。
【図６】本発明の一実施形態に係る防音間仕切り構造の施工手順を説明する斜視図であって、一方の間柱中間に接合部材をビス留め固定している状態を示す。
【図７】同二面図である。
【図８】本発明の変形例の平面図である。
【図９】従来の防音間仕切り構造の図１相当図である。
【図１０】従来の防音間仕切り構造の図２相当図である。
【図１１】従来の防音間仕切り構造の図４相当図である。
【図１２】従来の防音間仕切り構造の図５相当図である。
【図１３】従来の防音間仕切り構造の図６相当図である。
【図１４】従来の防音間仕切り構造の図７相当図である。
【符号の説明】
【００４１】
１，２    間柱
３        接合部材
３ａ      第１接合部
３ｂ      第２接合部
３ｃ      位置決め部
４        上側間仕切り台輪
４ａ      溝
５        下側間仕切り台輪
５ａ      溝
Ｋ        間仕切り構造
【図１】
2008127770.tif 000003
【図２】
2008127770.tif 000004
【図３】
2008127770.tif 000005
【図４】
2008127770.tif 000006
【図５】
2008127770.tif 000007
【図６】
2008127770.tif 000008
【図７】
2008127770.tif 000009
【図８】
2008127770.tif 000010
【図９】
2008127770.tif 000011
【図１０】
2008127770.tif 000012
【図１１】
2008127770.tif 000013
【図１２】
2008127770.tif 000014
【図１３】
2008127770.tif 000015
【図１４】
2008127770.tif 000016